(57)【要約】【課題】  送風ヘッドによって効率よく被記録媒体上のインクを乾燥することができると共に、送風ヘッドの風から記録ヘッドを保護することができる記録装置を提供すること。【解決手段】  記録装置（１）は、被記録媒体（Ｐ）に対してインクを吐出して記録を実行する記録ヘッド４２と、該記録ヘッド４２を有し、被記録媒体（Ｐ）の送り方向Ｙに対する幅方向Ｘへ移動するキャリッジ４１と、前記キャリッジ４１において前記記録ヘッド４２と幅方向Ｘに並んで設けられ、被記録媒体（Ｐ）に対して風を送る送風ヘッド（４５、４６、（４４））と、前記キャリッジ４１における前記送風ヘッド（４５、４６（４４））と、前記記録ヘッド４２との間に設けられ、先端側が被記録媒体（Ｐ）に接近する方向（Ｚ）へ延びており、前記送風ヘッド（４５、４６（４４））から前記記録ヘッド４２側への風を遮る遮風部材（５１、５２（５０））と、を備えていることを特徴とする。【選択図】図３
2010149318.tif 000002
【特許請求の範囲】
【請求項１】
被記録媒体に対してインクを吐出して記録を実行する記録ヘッドと、
該記録ヘッドを有し、被記録媒体の送り方向に対する幅方向へ移動するキャリッジと、
前記キャリッジにおいて前記記録ヘッドの幅方向両側に設けられており、被記録媒体に対して風を送る複数の送風ヘッドと、
前記キャリッジにおける前記記録ヘッドの幅方向両側において、前記送風ヘッドと、前記記録ヘッドとの間に設けられ、先端側が被記録媒体に接近する方向へ延びており、前記送風ヘッドから前記記録ヘッド側への風を遮る複数の遮風部材と、を備えた記録装置。
【請求項２】
請求項１に記載の記録装置において、前記複数の遮風部材は、被記録媒体に対して接離移動可能に構成されており、
前記接離移動の方向において前記記録ヘッドより被記録媒体側へ突出し、被記録媒体に対して接近した第１の位置と、
該第１の位置と比較して前記接離移動の方向において前記記録ヘッド側へ退避した第２の位置と、を有し、
前記記録ヘッドによって記録が実行されているとき、
前記記録ヘッドより前記キャリッジの進行方向前側の遮風部材は、前記第１の位置であり、
前記記録ヘッドより前記キャリッジの進行方向後側の遮風部材は、前記第２の位置である記録装置。
【請求項３】
請求項１に記載の記録装置において、前記複数の遮風部材は、隣接する前記送風ヘッドに対して前記遮風部材の先端側が接離する方向に揺動可能に構成されており、
該遮風部材の先端側が前記隣接する送風ヘッドから離間し、かつ、被記録媒体へ接近した第１の姿勢と、
該第１の姿勢と比較して該遮風部材の先端側が前記隣接する送風ヘッドへ接近し、かつ、被記録媒体から離間した第２の姿勢と、を有し、
前記記録ヘッドによって記録が実行されているとき、
前記記録ヘッドより前記キャリッジの進行方向前側の遮風部材の姿勢は、該遮風部材の先端側が進行方向前側の前記送風ヘッドから離間し、かつ、被記録媒体へ接近した前記第１の姿勢であり、
前記記録ヘッドより前記キャリッジの進行方向後側の遮風部材の姿勢は、該遮風部材の先端側が進行方向後側の前記送風ヘッドへ接近し、かつ、被記録媒体から離間した前記第２の姿勢である記録装置。
【請求項４】
請求項３に記載の記録装置において、前記キャリッジの進行方向後側の遮風部材の前記第２の姿勢は、被記録媒体に対して平行である記録装置。
【請求項５】
請求項３に記載の記録装置において、前記キャリッジの進行方向後側の遮風部材の前記第２の姿勢は、先端側へ進むに従って被記録媒体へ接近するように被記録媒体に対して傾いている記録装置。
【発明の詳細な説明】
【技術分野】
【０００１】
本発明は、被記録媒体に対してインクを吐出して記録を実行する記録ヘッドと、該記録ヘッドを有し、被記録媒体の送り方向に対する幅方向へ移動するキャリッジと、前記キャリッジにおいて前記記録ヘッドと幅方向に並んで設けられ、被記録媒体に対して風を送る送風ヘッドと、を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、記録装置は、キャリッジと、記録ヘッドと、送風手段とを備えていた。  
図９に示すのは、従来技術における記録装置のキャリッジの一例を示す正面図である。  
図９に示す如く、記録装置は、キャリッジ１００と、記録ヘッド１０１と、送風手段である送風口１０２、１０２とを備えていた。このうち、キャリッジ１００は、用紙１０４の幅方向に移動することができるように設けられていた。また、記録ヘッド１０１は、キャリッジ１００に搭載され、キャリッジ１００の移動に伴ってプラテン１０３に支持された用紙１０４に対してインクを吐出することができるように構成されていた。
【０００３】
またさらに、送風口１０２、１０２は、キャリッジ１００における記録ヘッド１０１の幅方向両側に一対設けられていた。そして、記録時に用紙１０４に対して風を吹付けることができるように設けられていた。従って、プラテン１０３に支持された用紙１０４上のインクを乾燥させることができた。また、送風口１０２、１０２の向きは、記録ヘッド１０１を基準として外側へ向けて設けられていた。これにより、記録ヘッド１０１から吐出されるインク滴の飛行曲がりへの影響を低減することができた。
【特許文献１】特開昭６４−１１８４１号公報
【発明の開示】
【発明が解決しようとする課題】
【０００４】
しかしながら、送風口１０２、１０２の向きを外側へ向けることにより、用紙１０４に対して傾いた角度で風が吹付けられる。従って、乾燥効率が低下する。  
一方、送風口１０２、１０２の向きを用紙１０４と真向かうようにし、用紙１０４に対して垂直に風を当てると、記録ヘッド１０１側へも風が流れ、記録ヘッド１０１から吐出されるインク滴の飛行曲がりの原因となる。また、記録ヘッド１０１のノズル列を乾燥させる原因となる。係る場合、ノズル内のインクの粘度が変化することによる吐出不良が生じる虞、最悪の場合、ノズル内のインクが固化してノズルが詰まる虞がある。
【０００５】
本発明は、このような状況に鑑み成されたものであり、その課題は、送風ヘッドによって効率よく被記録媒体上のインクを乾燥することができると共に、送風ヘッドの風から記録ヘッドを保護することができる記録装置を提供することである。
【課題を解決するための手段】
【０００６】
上記課題を達成するため、本発明の第１の態様の記録装置は、被記録媒体に対してインクを吐出して記録を実行する記録ヘッドと、該記録ヘッドを有し、被記録媒体の送り方向に対する幅方向へ移動するキャリッジと、前記キャリッジにおいて前記記録ヘッドの幅方向両側に設けられており、被記録媒体に対して風を送る複数の送風ヘッドと、前記キャリッジにおける前記記録ヘッドの幅方向両側において、前記送風ヘッドと、前記記録ヘッドとの間に設けられ、先端側が被記録媒体に接近する方向へ延びており、前記送風ヘッドから前記記録ヘッド側への風を遮る複数の遮風部材と、を備えていることを特徴とする。
【０００７】
本発明の第１の態様によれば、前記記録装置は、前記遮風部材を備えている。従って、前記記録ヘッドが前記送風ヘッドからの風の影響を受ける虞がない。即ち、前記風により前記記録ヘッドのノズルが乾燥する虞がない。  
また、前記記録ヘッドから吐出され飛行中のインク滴の飛行軌跡が、前記送風ヘッドの風によって曲がる虞がない。
【０００８】
またさらに、前記送風ヘッドの向きを被記録媒体に対して略垂直に風を当てるように構成することができる。その結果、被記録媒体に着弾したインクを効率よく乾燥させることができる。  
即ち、前記送風ヘッドによって効率よく被記録媒体上のインクを乾燥することができると共に、前記送風ヘッドの風から前記記録ヘッドを保護することができる。さらに、前記送風ヘッドの風によって、インク滴の飛行曲がりが生じる虞がない。
【０００９】
また、前記送風ヘッドは複数設けられ、前記遮風部材は複数設けられている。従って、前記キャリッジが幅方向に往復移動するときの往路および復路の両方において記録を実行する所謂、ツーウェイパスの場合であっても、被記録媒体に吐出したインクを効率よく乾燥することができる。
【００１０】
本発明の第２の態様は、第１の態様において、前記複数の遮風部材は、被記録媒体に対して接離移動可能に構成されており、前記接離移動の方向において前記記録ヘッドより被記録媒体側へ突出し、被記録媒体に対して接近した第１の位置と、該第１の位置と比較して前記接離移動の方向において前記記録ヘッド側へ退避した第２の位置と、を有し、前記記録ヘッドによって記録が実行されているとき、前記記録ヘッドより前記キャリッジの進行方向前側の遮風部材は、前記第１の位置であり、前記記録ヘッドより前記キャリッジの進行方向後側の遮風部材は、前記第２の位置であることを特徴とする。
【００１１】
本発明の第２の態様によれば、第１の態様と同様の作用効果に加え、前記記録ヘッドによって記録が実行されているとき、前記記録ヘッドより前記キャリッジの進行方向前側の遮風部材は、前記第１の位置である。従って、前記記録ヘッドは、前記キャリッジの進行方向前側の前記送風ヘッドからの風の影響を受ける虞がない。  
また、前記記録ヘッドより前記キャリッジの進行方向後側の遮風部材は、前記第２の位置である。従って、該遮風部材の先端を、該遮風部材の接離移動方向において前記記録ヘッドと略同じ位置にすることが可能である。
【００１２】
ここで、仮に進行方向後側の前記遮蔽板が前記突出した第１の位置である場合、進行方向後側の遮蔽板と被記録媒体との間の距離が、前記記録ヘッドと被記録媒体との間の距離より、狭くなる。係る場合、進行方向前側から後側へ向かって前記記録ヘッドに対して相対的に流れる空気の速度が、進行方向後側の前記遮蔽板の近傍で急激に速くなる。また、進行方向後側の前記遮蔽板の近傍で空気が流れる向きが大きく変わる。そのため、前記記録ヘッドから吐出されたインク滴が飛行中に曲がる所謂、飛行曲がりが生じる虞がある。
【００１３】
そこで、本態様では、進行方向後側の前記遮風部材を退避させる構成とする。従って、進行方向後側の遮蔽板と被記録媒体との間の距離と、前記記録ヘッドと被記録媒体との間の距離との差を、前記進行方向後側の前記遮蔽板が前記突出している場合と比較して、小さくすることができる。  
その結果、進行方向前側から後側へ向かって前記記録ヘッドに対して相対的に流れる空気の速度が、進行方向後側の前記遮蔽板の近傍で急激に変化する虞がない。また、進行方向後側の前記遮蔽板の近傍で空気が流れる向きが大きく変わる虞がない。そして、進行方向後側の前記遮蔽板の近傍における前記記録ヘッドから吐出されたインク滴の飛行曲がりを低減することができる。即ち、前記遮蔽板を設けたことによる弊害をなくすことができる。
【００１４】
本発明の第３の態様は、第１の態様において、前記複数の遮風部材は、隣接する前記送風ヘッドに対して前記遮風部材の先端側が接離する方向に揺動可能に構成されており、該遮風部材の先端側が前記隣接する送風ヘッドから離間し、かつ、被記録媒体へ接近した第１の姿勢と、該第１の姿勢と比較して該遮風部材の先端側が前記隣接する送風ヘッドへ接近し、かつ、被記録媒体から離間した第２の姿勢と、を有し、前記記録ヘッドによって記録が実行されているとき、前記記録ヘッドより前記キャリッジの進行方向前側の遮風部材の姿勢は、該遮風部材の先端側が進行方向前側の前記送風ヘッドから離間し、かつ、被記録媒体へ接近した前記第１の姿勢であり、前記記録ヘッドより前記キャリッジの進行方向後側の遮風部材の姿勢は、該遮風部材の先端側が進行方向後側の前記送風ヘッドへ接近し、かつ、被記録媒体から離間した前記第２の姿勢であることを特徴とする。
【００１５】
本発明の第３の態様によれば、第１の態様と同様の作用効果に加え、前記遮風部材を揺動させることにより、前記遮風部材の被記録媒体に対する接近状態の姿勢、離間状態の姿勢を切替える構成である。従って、前記遮風部材の被記録媒体に対する接近状態、離間状態の切替えを、第２の態様の突出・退避移動する構成と比較して、短い時間で行うことができる。
【００１６】
本発明の第４の態様は、第３の態様において、前記キャリッジの進行方向後側の遮風部材の前記第２の姿勢は、被記録媒体に対して平行であることを特徴とする。  
ここで、「平行」は、略平行であればよい。姿勢のバラツキ範囲を含む概念である。  
本発明の第４の態様によれば、第３の態様と同様の作用効果に加え、前記キャリッジの進行方向後側の遮風部材の前記第２の姿勢は、被記録媒体に対して平行である。従って、進行方向後側の遮蔽板と被記録媒体との間の距離を、前記記録ヘッドと被記録媒体との間の距離と略同じにすることが可能である。そして、進行方向前側から後側へ向かって前記記録ヘッドに対して相対的に流れる空気の速度が、進行方向後側の前記遮蔽板の近傍で変化する虞がない。その結果、進行方向後側の前記遮蔽板の近傍における前記記録ヘッドから吐出されたインク滴の飛行曲がりを確実に防止することができる。
【００１７】
本発明の第５の態様は、第３の態様において、前記キャリッジの進行方向後側の遮風部材の前記第２の姿勢は、先端側へ進むに従って被記録媒体へ接近するように被記録媒体に対して傾いていることを特徴とする。  
本発明の第５の態様によれば、第３の態様と同様の作用効果に加え、前記キャリッジの進行方向後側の遮風部材の前記第２の姿勢は、先端側へ進むに従って被記録媒体へ接近するように被記録媒体に対して傾いている。即ち、先端側が進行方向後側へ傾いている。従って、進行方向後側の遮風部材は、前記記録ヘッドから吐出されたインク滴の飛行を妨げる虞がない。その一方で、進行方向後側の前記送風ヘッドから前記記録ヘッドへ流れようとする風を適度に遮ることができる。その結果、進行方向後側からの風の影響を受けて前記記録ヘッドから吐出されたインク滴に飛行曲がりが生じる虞がなく、良好な記録を実行することができる。
【発明を実施するための最良の形態】
【００１８】
以下、本発明の実施の形態を図面に基づいて説明する。  
図１に示すのは、本発明に係る「記録装置」或いは「液体噴射装置」の一例としてのインクジェットプリンター（以下「プリンター」と言う）１の全体の概略を示す側面図である。また、図２に示すのは、本発明に係るプリンターの全体の概略を示す平面図である。  
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００１９】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２０】
図１および図２に示す如く、プリンター１は、給送部１０と、紙揃え部２０と、プレヒート部３０と、記録部４０と、ポストヒート部５０と、排出部６０とを備えている。このうち、給送部１０は、ローラおよびベルトを備え、用紙Ｐを送り方向下流側（矢印Ｙの方向）へ給送することができるように構成されている。また、紙揃え部２０は、ローラと、ベルトと、用紙Ｐの側端と当接するガイド部（図示せず）とを備えている。そして、給送された用紙Ｐの姿勢を正しながら用紙Ｐを送り方向下流側へ送ることができるように構成されている。
【００２１】
また、プレヒート部３０は、紙揃え部２０から送られた用紙Ｐを、記録部４０へ送る前の段階において、予め熱を加えて温めてから送り方向下流側の記録部４０へ送ることができるように構成されている。予め熱を加えるのは、後に用紙Ｐに着弾するインクの乾燥を促進するためである。具体的には、プレヒート部３０は、記録部４０まで延設されたサクションベルト機構３１と、予備加熱時用紙支持部３２としてのプラテン５４と、後述する予備加熱手段３３としてのヒーター５７とを有している。
【００２２】
このうち、サクションベルト機構３１は、三つのローラ３４、３４、３４ａと、該三つのローラ３４、３４、３４ａに巻回された複数の穴（図示せず）を有するベルト３５と、該複数の穴を介して空気を吸引する吸引手段としての吸引ファン５８とを有する。そして、送り方向下流側のローラ３４ａが駆動することにより、ベルト３５が駆動し用紙Ｐを送ることができるように構成されている。また、サクションベルト機構３１の上面側に形成される予備加熱時用紙支持部３２が、用紙Ｐを裏面から支持することができるように設けられている。また、予備加熱時用紙支持部３２としてのプラテン５４には、熱伝導式の予備加熱手段３３としてのヒーター５７が設けられている。
【００２３】
ここで、「熱伝導式」とは、物体の内部を通って高温部から低温部へ熱を伝える方式をいう。即ち、物体が用紙Ｐと接触することにより熱を伝導する方式である。  
例えば、予備加熱手段３３としてのヒーター５７の一例としてニクロム線を用いる手段がある。該ニクロム線を通電させることにより、ニクロム線自体が発熱し、プラテン５４を介して用紙Ｐの裏面に熱を伝導することができる。また、前述した吸引ファン５８は、ベルト３５の複数の穴を介して予備加熱時用紙支持部３２の上方の空気を下方へ吸引するように構成されている。
【００２４】
従って、吸引ファン５８は、予備加熱時用紙支持部３２上の用紙Ｐを、予備加熱時用紙支持部３２にぴったりと吸着させることができる。その結果、用紙Ｐを加熱することができる。  
またさらに、記録部４０は、プレヒート部３０から送られた用紙Ｐの表面に対して、インクを吐出して記録を実行することができるように設けられている。具体的には、記録部４０は、プレヒート部３０から延設された第１サクションベルト機構３１と、記録時用紙支持部５５としてのプラテン５４と、キャリッジ４１と、記録ヘッド４２と、記録時乾燥手段４４と、記録時加熱手段５６と、遮風手段５０とを有している。
【００２５】
このうち、プラテン５４は、記録時用紙支持部５５と予備加熱時用紙支持部３２とを兼ねて一体に形成されている。  
また、記録時用紙支持部５５としてのプラテン５４は、サクションベルト機構３１の上面側に形成され、用紙Ｐを裏面から支持することができるように設けられている。またさらに、キャリッジ４１は、記録ヘッド４２と、記録時乾燥手段４４と、遮風手段５０とを備えている。また、キャリッジ４１は、記録時用紙支持部５５の上方に、用紙Ｐの幅方向Ｘへ移動可能に設けられている。具体的には、幅方向Ｘに延設されたガイド軸（図示せず）に案内されながら、図示しないモーターの動力によって移動するように構成されている。
【００２６】
記録時乾燥手段４４は、記録ヘッド４２からインクを吐出して記録実行している際に、用紙Ｐに対して風を当てて用紙Ｐに着弾したインクを乾燥することができるように設けられている。具体的には、記録時乾燥手段４４は、対流式である第１温風ヘッド４５と、第２温風ヘッド４６とを有している。  
ここで、「対流式」とは、気体や液体などの流体によって熱を伝える方式をいう。
【００２７】
第１温風ヘッド４５は、幅方向Ｘにおける記録ヘッド４２の１桁側（図２における上側）に配設されている。一方、第２温風ヘッド４６は、幅方向Ｘにおける記録ヘッド４２の８０桁側（図２における下側）に配設されている。また、第１温風ヘッド４５および第２温風ヘッド４６は、温めた風を吹出すことができるように構成されている。そして、用紙Ｐの表面に対して温風を吹出すことによって、用紙Ｐの表面に着弾したインクを乾燥させることができる。
【００２８】
尚、温風ヘッド５３の内部構造は、ニクロム線等の熱発生手段と、ファン等の風力発生手段とから構成されているものとする。
【００２９】
また、遮風手段５０は、記録時乾燥手段４４から吹出される風の記録ヘッド４２側へ流れを遮ることができるように設けられている。即ち、吹出された風が記録ヘッド４２側へ流れることを妨げることができるように設けられている。具体的には、遮風手段５０は、遮風部材としての第１遮風板５１と、第２遮風板５２とを有する。第１遮風板５１は、記録ヘッド４２と、第１温風ヘッド４５との間に配設されている。一方、第２遮風板５２は、記録ヘッド４２と、第２温風ヘッド４６との間に配設されている。第１遮風板５１および第２遮風板５２の動作および作用効果について詳しくは後述するものとする。
【００３０】
また、記録された用紙Ｐは、サクションベルト機構３１によって送り方向下流側の排出部６０へ送られる。  
排出部６０は、ローラおよびベルトを備え、用紙Ｐを送り方向下流側へ排出することができるように構成されている。  
続いて、遮風手段５０としての第１遮風板５１および第２遮風板５２の構成について説明する。
【００３１】
図３に示すのは、本発明に係るキャリッジの概略を示す送り方向下流側からみた正面図である。  
図３に示す如く、第１遮風板５１および第２遮風板５２は、制御部（図示せず）からの指令を受けて図示しない動力源によって揺動軸５３、５３を支点に揺動することができるように設けられている。具体的には、遮風時にとる遮風時姿勢（実線で示す５１、５２）と、第１遮風板５１および第２遮風板５２の先端が用紙Ｐから退避するように離間移動すると共に、隣接する第１温風ヘッド４５および第２温風ヘッド４６に接近した退避時姿勢（点線で示す５１、５２）とを有する。
【００３２】
このうち、遮風時姿勢は、第１遮風板５１および第２遮風板５２のそれぞれの先端側が、Ｚ軸方向において記録ヘッド４２側からプラテン５４側へ延びた状態の姿勢である。  
ここで、Ｚ軸方向は、記録ヘッド４２とプラテン５４とが対向する方向である。  
一方、退避時姿勢は、第１遮風板５１および第２遮風板５２のそれぞれの先端側が、幅方向Ｘにおいて、記録ヘッド４２より外側である第１温風ヘッド４５および第２温風ヘッド４６側へ揺動した状態の姿勢である。
【００３３】
即ち、第１遮風板５１および第２遮風板５２のそれぞれの先端側が、第１温風ヘッド４５および第２温風ヘッド４６の吹出し口４７、４７に接近した状態の姿勢である。  
尚、前記動力源は、モーターや電磁石等の所謂、アクチュエーターを用いることができる。また、動力を伝達する手段は、カム機構やギア機構等によって構成することができるのは勿論である。
【００３４】
また、第１温風ヘッド４５の吹出し口４７の向きおよび第２温風ヘッド４６の吹出し口４７の向きは、用紙Ｐに対向している。即ち、用紙Ｐに対して、略垂直に温風を当てることができる構成である。従って、用紙Ｐ上のインクを効率よく乾燥させることができる。  
またさらに、本実施形態における第１遮風板５１および第２遮風板５２は、断熱材に形成されているものとする。風を遮るだけでなく、第１温風ヘッド４５および第２温風ヘッド４６の熱を記録ヘッド４２に伝わらないようにすることができる。
【００３５】
続いて、第１遮風板５１および第２遮風板５２の動作および作用効果について説明する。  
図４に示すのは、キャリッジが幅方向において８０桁側から１桁側へ移動する際の第１遮風板および第２遮風板の動作を示す正面図である。  
図４に示す如く、記録実行時においてキャリッジ４１が８０桁側から１桁側へ移動する際、制御部は、進行方向前側である第１遮風板５１の姿勢を遮風時姿勢にする。一方、進行方向後側である第２遮風板５２については、退避時姿勢にする。
【００３６】
このとき、第１温風ヘッド４５および第２温風ヘッド４６の吹出し口４７、４７からは温風が吹出している。そして、進行方向前側の第１遮風板５１は遮風時姿勢をとっているので、第１温風ヘッド４５から吹出される温風が進行方向後側の記録ヘッド４２へ流れることを妨げることができる。その結果、記録ヘッド４２から用紙Ｐへ向かって吐出された飛行中のインク滴が、第１温風ヘッド４５から吹出された温風の影響を受ける虞がない。即ち、進行方向前側の第１温風ヘッド４５によってインク滴の所謂、飛行曲がりが生じる虞がない。
【００３７】
また、第１遮風板５１は、第１温風ヘッド４５から吹出された温風が記録ヘッド４２のノズル列４３に当たることを防止することができる。その結果、ノズル列４３の状態を安定させることができ、良好な記録を実行することができる。即ち、第１温風ヘッド４５から吹出された温風が、記録ヘッド４２のノズル列４３のメニスカスを破壊する虞や、ノズル列４３の内部のインクを乾燥させてしまう虞がない。
【００３８】
一方、進行方向後側の第２遮風板５２は退避時姿勢をとっている。  
ここで、キャリッジ４１の移動中において、記録ヘッド４２から用紙Ｐに対して吐出されたインク滴は、Ｚ軸における用紙Ｐに接近する方向の速度成分だけでなく、キャリッジ４１の進行方向である幅方向Ｘの速度成分をも有する。ところが、インク滴は微小であるため、空気抵抗の影響を受けやすく減速しやすい。
【００３９】
そのため、インク滴は、移動中のキャリッジ４１と相対的に、キャリッジ４１の進行方向後側へ流れる傾向にある。  
そこで、進行方向後側の第２遮風板５２を退避時姿勢にすることによって、キャリッジ４１の移動中に記録ヘッド４２から用紙Ｐに対して吐出された飛行中のインク滴が第２遮風板５２と衝突することを防止することができる。即ち、第２遮風板５２は、インク滴の飛行を妨げる虞がない。その結果、良好な記録を実行することができる。
【００４０】
また、仮に、進行方向後側の第２遮風板５２を遮風時姿勢にすると、記録ヘッド４２と用紙Ｐとの間の空間の空気が、キャリッジ４１の移動に伴って、幅方向Ｘにおいて記録ヘッド４２側から第２温風ヘッド４６側へ移動する際、該空気の流れを乱す虞がある。具体的には、記録ヘッド４２と用紙Ｐとの間の空間においては、空気が記録ヘッド４２側から第２温風ヘッド４６側へＺ軸方向において一様の速度で流れている。ところが、仮に、進行方向後側の第２遮風板５２を遮風時姿勢にすることにより、第２遮風板５２の先端によって、空気の流路がＺ軸方向において狭められる。
【００４１】
そして、第２遮風板５２より進行方向後側では、空気の流路がＺ軸方向において元のように広がる構成となる。係る場合、記録ヘッド４２と用紙Ｐとの間の空間において比較的ゆっくり流れていた空気が、第２遮風板５２の先端によって流路が狭められた箇所において、急に空気の流れが速くなる。そして、第２遮風板５２の先端を通過して流路が広がった箇所まで到達すると、再び空気がゆっくりした流れとなる。特に、Ｚ軸方向において用紙Ｐ側よりも記録ヘッド４２側の空気の速度変化および流れる向きの変化が大きい。そして、該速度変化および向きの変化によって所謂、乱流が生じ、インク滴の飛行曲がりを発生させる虞がある。
【００４２】
そこで、進行方向後側の第２遮風板５２を退避時姿勢にすることによって、前記流路が狭められた箇所を広くすることができる。従って、空気の急な速度変化および流れる向きの変化を無くすことができる。その結果、インク滴の飛行曲がりが殆ど発生する虞がない。  
尚、進行方向後側の第２温風ヘッド４６から吹出される温風については、キャリッジ４１が移動しているので、第２温風ヘッド４６より進行方向前側へは流れにくい。従って、進行方向後側の第２遮風板５２が退避時姿勢であっても、第２温風ヘッド４６の温風によるインク滴の飛行曲がりへの影響は極僅かと考えてよい。また、第２温風ヘッド４６の温風による記録ヘッド４２のノズル列４３のメニスカスへの影響や、ノズル列４３の内部のインクへの影響も極僅かと考えてよい。
【００４３】
仮に影響があるとしても、第２遮風板５２の退避時姿勢がＺ軸に対して０〜９０度の間（本実施形態では約４５度）の姿勢で傾いているので、第２温風ヘッド４６からの温風を適度にブロックすることができる。従って、第２温風ヘッド４６の温風によるインク滴の飛行曲がりを防止することができる。また、第２温風ヘッド４６の温風から記録ヘッド４２のノズル列４３を守ることができる。
【００４４】
図５に示すのは、キャリッジが幅方向において１桁側から８０桁側へ移動する際の第１遮風板および第２遮風板の動作を示す正面図である。  
図５に示す如く、記録実行時においてキャリッジ４１が１桁側から８０桁側へ移動する際、制御部は、進行方向後側である第１遮風板５１の姿勢を退避時姿勢にする。一方、進行方向前側である第２遮風板５２については、遮風時姿勢にする。
【００４５】
このとき、前述した８０桁側から１桁側への移動と同様に、第１温風ヘッド４５および第２温風ヘッド４６の吹出し口４７、４７からは温風が吹出している。そして、進行方向前側の第２遮風板５２は遮風時姿勢をとっているので、第２温風ヘッド４６から吹出される温風が進行方向後側の記録ヘッド４２へ流れることを妨げることができる。その結果、記録ヘッド４２から用紙Ｐへ向かって吐出された飛行中のインク滴が、第２温風ヘッド４６から吹出された温風の影響を受ける虞がない。即ち、進行方向前側の第２温風ヘッド４６によってインク滴の所謂、飛行曲がりが生じる虞がない。
【００４６】
また、第２遮風板５２は、第２温風ヘッド４６から吹出された温風が記録ヘッド４２のノズル列４３に当たることを防止することができる。その結果、ノズル列４３の状態を安定させることができ、良好な記録を実行することができる。即ち、第２温風ヘッド４６から吹出された温風が、記録ヘッド４２のノズル列４３のメニスカスを破壊する虞や、ノズル列４３の内部のインクを乾燥させてしまう虞がない。
【００４７】
一方、進行方向後側の第１遮風板５１は退避時姿勢をとっている。  
ここで、キャリッジ４１の移動中において、記録ヘッド４２から用紙Ｐに対して吐出されたインク滴は、Ｚ軸における用紙Ｐに接近する方向の速度成分だけでなく、キャリッジ４１の進行方向である幅方向Ｘの速度成分をも有する。ところが、インク滴は微小であるため、空気抵抗の影響を受けやすく減速しやすい。
【００４８】
そのため、インク滴は、移動中のキャリッジ４１と相対的に、キャリッジ４１の進行方向後側へ流れる傾向にある。  
そこで、進行方向後側の第１遮風板５１を退避時姿勢にすることによって、キャリッジ４１の移動中に記録ヘッド４２から用紙Ｐに対して吐出された飛行中のインク滴が第１遮風板５１と衝突することを防止することができる。即ち、第２遮風板５２は、インク滴の飛行を妨げる虞がない。その結果、良好な記録を実行することができる。
【００４９】
また、仮に、進行方向後側の第１遮風板５１を遮風時姿勢にすると、記録ヘッド４２と用紙Ｐとの間の空間の空気が、キャリッジ４１の移動に伴って、幅方向Ｘにおいて記録ヘッド４２側から第１温風ヘッド４５側へ移動する際、該空気の流れを乱す虞がある。具体的には、記録ヘッド４２と用紙Ｐとの間の空間においては、空気が記録ヘッド４２側から第１温風ヘッド４５側へＺ軸方向において一様の速度で流れている。ところが、仮に、進行方向後側の第１遮風板５１を遮風時姿勢にすることにより、第１遮風板５１の先端によって、空気の流路がＺ軸方向において狭められる。
【００５０】
そして、第１遮風板５１より進行方向後側では、空気の流路がＺ軸方向において元のように広がる構成となる。係る場合、記録ヘッド４２と用紙Ｐとの間の空間において比較的ゆっくり流れていた空気が、第１遮風板５１の先端によって流路が狭められた箇所において、急に空気の流れが速くなる。そして、第１遮風板５１の先端を通過して流路が広がった箇所まで到達すると、再び空気がゆっくりした流れとなる。特に、Ｚ軸方向において用紙Ｐ側よりも記録ヘッド４２側の空気の速度変化および流れる向きの変化が大きい。そして、該速度変化および向きの変化によって所謂、乱流が生じ、インク滴の飛行曲がりを発生させる虞がある。
【００５１】
そこで、進行方向後側の第１遮風板５１を退避時姿勢にすることによって、前記流路が狭められた箇所を広くすることができる。従って、空気の急な速度変化および流れる向きの変化を無くすことができる。その結果、インク滴の飛行曲がりが殆ど発生する虞がない。  
尚、進行方向後側の第１温風ヘッド４５から吹出される温風については、キャリッジ４１が移動しているので、第１温風ヘッド４５より進行方向前側へは流れにくい。従って、進行方向後側の第１遮風板５１が退避時姿勢であっても、第１温風ヘッド４５の温風によるインク滴の飛行曲がりへの影響は極僅かと考えてよい。また、第１温風ヘッド４５の温風による記録ヘッド４２のノズル列４３のメニスカスへの影響や、ノズル列４３の内部のインクへの影響も極僅かと考えてよい。
【００５２】
仮に影響があるとしても、第１遮風板５１の退避時姿勢がＺ軸に対して０〜９０度の間（本実施形態では約４５度）の姿勢で傾いているので、第１温風ヘッド４５からの温風を適度にブロックすることができる。従って、第１温風ヘッド４５の温風によるインク滴の飛行曲がりを防止することができる。また、第１温風ヘッド４５の温風から記録ヘッド４２のノズル列４３を守ることができる。
【００５３】
図６に示すのは、キャリッジが移動する際、第１温風ヘッドおよび第２温風ヘッドのみが稼働する場合の第１遮風板および第２遮風板の動作を示す正面図である。  
図６に示す如く、キャリッジ４１が移動する際、記録ヘッド４２による記録を伴わずに、第１温風ヘッド４５および第２温風ヘッド４６のみを稼働させることが可能である。記録後において乾燥のみを目的とした場合である。また、記録前の用紙Ｐ上の不純物を除去する目的とすることもできる。
【００５４】
係る場合、第１温風ヘッド４５の温風および第２温風ヘッド４６の温風が記録ヘッド４２と用紙Ｐとが対向する空間に流れ込むことを防止することができる。その結果、温風によって記録ヘッド４２のノズル列４３の状態が変化することを防止することができる。具体的には、ノズル列４３が乾燥しないようにすることができる。再度、記録を開始する際、ノズル列４３の内部のインクが乾燥して詰まっていることによるインクの吐出不良が生じる虞がない。
【００５５】
尚、上記実施例では、キャリッジが幅方向に往復移動するときの往路および復路の両方において記録を実行する所謂、ツーウェイパスの場合について説明したが、往路または復路の一方のみにおいて記録を実行する所謂、ワンウェイパスの場合でもよい。係る場合、温風ヘッドを記録ヘッドと幅方向に並べて一つ設けると共に、遮蔽板を記録ヘッドと温風ヘッドとの間に一つ設ける。この場合、温風ヘッドは、記録ヘッドより進行方向前側でも後側でもよい。  
また、記録時乾燥手段の一例である温風ヘッドは、単に風を送る送風ヘッドでもよいのは勿論である。
【００５６】
本実施形態の記録装置であるプリンター１は、被記録媒体の一例である用紙Ｐに対してインクを吐出して記録を実行する記録ヘッド４２と、記録ヘッド４２を有し、用紙Ｐの送り方向Ｙに対する幅方向Ｘへ移動するキャリッジ４１と、キャリッジ４１において記録ヘッド４２と幅方向Ｘに並んで設けられ、用紙Ｐに対して風を送る送風ヘッドである第１温風ヘッド４５および第２温風ヘッド４６と、キャリッジ４１における第１温風ヘッド４５および第２温風ヘッド４６と、記録ヘッド４２との間に設けられ、先端側が用紙Ｐに接近する方向へ延びており、第１温風ヘッド４５および第２温風ヘッド４６から記録ヘッド４２側への風を遮る遮風部材である第１遮風板５１および第２遮風板５２と、を備えていることを特徴とする。
【００５７】
また、本実施形態において、送風ヘッドは第１温風ヘッド４５および第２温風ヘッド４６の複数設けられ、第１温風ヘッド４５および第２温風ヘッド４６は記録ヘッド４２の幅方向両側に配設されており、遮風板は第１遮風板５１および第２遮風板５２の複数設けられ、第１遮風板５１および第２遮風板５２は記録ヘッド４２の幅方向両側において、第１温風ヘッド４５と記録ヘッド４２との間、および第２温風ヘッド４６と記録ヘッド４２との間に配設されていることを特徴とする。
【００５８】
また、本実施形態において、第１遮風板５１および第２遮風板５２は、隣接する第１温風ヘッド４５および第２温風ヘッド４６に対して第１遮風板５１および第２遮風板５２の先端側が接離する方向に揺動可能に構成されており、第１遮風板５１（第２遮風板５２）の先端側が前記隣接する第１温風ヘッド４５（第２温風ヘッド４６）から離間し、かつ、用紙Ｐへ接近した第１の姿勢である遮風時姿勢と、遮風時姿勢と比較して第１遮風板５１（第２遮風板５２）の先端側が前記隣接する第１温風ヘッド４５（第２温風ヘッド４６）へ接近し、かつ、用紙Ｐから離間した第２の姿勢である退避時姿勢と、を有している。
【００５９】
さらに、記録ヘッド４２によって記録が実行されているとき、記録ヘッド４２よりキャリッジ４１の進行方向前側の遮風板（例えば図５に示す如く、１桁側から８０桁側へ移動する場合は第２遮風板５２）の姿勢は、該遮風板（１桁側から８０桁側へ移動する場合は第２遮風板５２）の先端側が進行方向前側の送風ヘッド（１桁側から８０桁側へ移動する場合は第２送風ヘッド４６）から離間し、かつ、用紙Ｐへ接近した姿勢である遮風時姿勢である。
【００６０】
さらに加えて、記録ヘッド４２よりキャリッジ４１の進行方向後側の遮風板（１桁側から８０桁側へ移動する場合は第１遮風板５１）の姿勢は、該遮風板（１桁側から８０桁側へ移動する場合は第１遮風板５１）の先端側が進行方向後側の前記送風ヘッド（１桁側から８０桁側へ移動する場合は第１温風ヘッド４５）へ接近し、かつ、用紙Ｐから離間した姿勢である退避時姿勢となる構成であることを特徴とする。
【００６１】
またさらに、本実施形態において、キャリッジ４１の進行方向後側の遮風板（１桁側から８０桁側へ移動する場合は第１遮風板５１）の退避時姿勢は、先端側へ進むに従って用紙Ｐへ接近するように用紙Ｐに対して（上記実施例では約４５度）傾いていることを特徴とする。
【００６２】
［他の実施形態１］
図７（Ａ）（Ｂ）に示すのは、他の実施形態１のキャリッジの遮風板を示す正面図である。  
図７（Ａ）（Ｂ）に示す如く、他の実施形態１のキャリッジ７０は、第１遮風板７１および第２遮風板７２を備えている。  
尚、特に説明のないその他の部材については、前述した実施形態と同様であるので、同じ符号を用いると共にその説明は省略する。
【００６３】
他の実施形態１の第１遮風板７１および第２遮風板７２は、制御部（図示せず）の指示により、図示しないアクチュエーターによってＺ軸方向に移動可能に設けられている。そして、前述した実施形態の遮風時姿勢および退避時姿勢と同様に、遮風時ポジションおよび退避時ポジションを有している。
【００６４】
ここで、「遮風時ポジション」は、遮風板７１、７２の先端が記録ヘッド４２から用紙側へ突出した位置であって、出来る限り用紙Ｐに接近した位置である。一方、「退避時ポジション」は、遮風板７１、７２の接離移動方向Ｚにおいて「遮風時ポジション」より記録ヘッド側に退避した位置である。実施例では、遮風板の有無を切替える構成であり、遮風板７１、７２の先端が記録ヘッド４２のノズル列４３の形成面と同じ位置となるがこれに限られない。「遮風時ポジション」より記録ヘッド側に退避していればよく、記録ヘッド４２から多少突出していてもよい。
【００６５】
図７（Ａ）に示すのは、キャリッジ７０が移動する際、第１温風ヘッド４５および第２温風ヘッド４６のみが稼働する場合の第１遮風板７１および第２遮風板７２の動作を示す正面図である。係る場合、第１遮風板７１および第２遮風板７２が、遮風時ポジションの状態である。従って、前述した実施形態と同様の作用効果を得ることができる。具体的には、ノズル列４３が乾燥しないようにすることができる。
【００６６】
また、図７（Ｂ）に示すのは、キャリッジ７０が幅方向Ｘにおいて１桁側から８０桁側へ移動する際の第１遮風板７１および第２遮風板７２の動作を示す正面図である。このとき、第１遮風板７１が退避時ポジション、第２遮風板７２が遮風時ポジションの状態である。  
尚、キャリッジ７０が幅方向Ｘにおいて８０桁側から１桁側へ移動する際、第２遮風板７２が退避時ポジション、第１遮風板７１が遮風時ポジションの状態となるのは言うまでもない。  
従って、前述した実施形態と同様の作用効果を得ることができる。その説明は省略する。
【００６７】
他の実施形態１において、第１遮風板７１および第２遮風板７２は、用紙Ｐに対して接離移動可能に構成されており、前記接離移動の方向Ｚにおいて記録ヘッド４２より用紙側へ突出し、用紙Ｐに対して接近した第１の位置である遮風時ポジションと、遮風時ポジションと比較して前記接離移動の方向Ｚにおいて記録ヘッド側へ退避した第２の位置である退避時ポジションと、を有している。
【００６８】
さらに、記録ヘッド４２によって記録が実行されているとき、記録ヘッド４２よりキャリッジ７０の進行方向前側の遮風板（例えば図７（Ｂ）に示す如く、１桁側から８０桁側へ移動する場合は第２遮風板７２）は、遮風時ポジションをとり、記録ヘッド４２よりキャリッジ７０の進行方向後側の遮風板（１桁側から８０桁側へ移動する場合は第１遮風板７１）は、退避時ポジションをとる構成であることを特徴とする。
【００６９】
［他の実施形態２］
図８（Ａ）（Ｂ）に示すのは、他の実施形態２のキャリッジの遮風板を示す正面図である。  
図８（Ａ）（Ｂ）に示す如く、他の実施形態２のキャリッジ８０は、第１遮風板８１および第２遮風板８２を備えている。  
尚、特に説明のないその他の部材については、前述した実施形態と同様であるので、同じ符号を用いると共にその説明は省略する。
【００７０】
他の実施形態２の第１遮風板８１および第２遮風板８２は、制御部（図示せず）の指示により、図示しないアクチュエーターによって揺動軸５３、５３を支点に揺動可能に設けられている。そして、前述した実施形態と同様に、遮風時姿勢と、退避時姿勢とを有している。遮風時姿勢および退避時姿勢について、前述した実施形態と同様であるので、異なる点のみ以下に説明するものとし、同じ点についての説明は省略する。
【００７１】
図８（Ａ）に示すのは、キャリッジ８０が移動する際、第１温風ヘッド４５および第２温風ヘッド４６のみが稼働する場合の第１遮風板８１および第２遮風板８２の動作を示す正面図である。係る場合、第１遮風板８１および第２遮風板８２が、遮風時姿勢の状態である。従って、前述した実施形態と同様の作用効果を得ることができる。具体的には、ノズル列４３が乾燥しないようにすることができる。
【００７２】
また、図８（Ｂ）に示すのは、キャリッジ８０が幅方向Ｘにおいて１桁側から８０桁側へ移動する際の第１遮風板８１および第２遮風板８２の動作を示す正面図である。このとき、第１遮風板８１が退避時姿勢、第２遮風板８２が遮風時姿勢の状態である。  
他の実施形態２において、退避時姿勢は、記録ヘッド４２のノズル列４３が形成された面と同一面上であって、プラテン５４上の用紙Ｐと平行となる姿勢である。
【００７３】
従って、キャリッジ８０が１桁側から８０桁側へ移動することに伴い、記録ヘッド４２と用紙Ｐとの間の空気が第１遮風板８１を通過する際のＺ軸方向における空気の流路の幅を略一定にすることができる。その結果、空気の速度変化および流れる向きの変化を無くすことができる。その分、インク滴の飛行を安定させることができ、良好な記録を実行することができる。  
尚、飛行中のインク滴と、進行方向後側である第１遮風板８１との接触を防止することができるのは言うまでもない。  
また、キャリッジ８０が幅方向Ｘにおいて８０桁側から１桁側へ移動する際、第２遮風板８２が退避時姿勢、第１遮風板８１が遮風時姿勢の状態となるのは言うまでもない。  
他の実施形態２において、キャリッジ８０の進行方向後側の遮風板（例えば図８（Ｂ）に示す如く、１桁側から８０桁側へ移動する場合は第１遮風板８１）の退避時姿勢は、用紙Ｐに対して平行であることを特徴とする。  
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００７４】
【図１】本発明に係るプリンターの全体の概略を示す側面図。
【図２】本発明に係るプリンターの全体の概略を示す平面図。
【図３】本発明に係るキャリッジの概略を示す正面図。
【図４】本発明に係る遮風板の動作を示す正面図（１桁側へ移動する際）。
【図５】本発明に係る遮風板の動作を示す正面図（８０桁側へ移動する際）。
【図６】本発明に係る遮風板の動作を示す正面図（温風ヘッドのみ稼働時）。
【図７】（Ａ）（Ｂ）は他の実施形態１のキャリッジの遮風板を示す正面図。
【図８】（Ａ）（Ｂ）は他の実施形態２のキャリッジの遮風板を示す正面図。
【図９】従来技術におけるキャリッジを示す概略正面図。
【符号の説明】
【００７５】
１  プリンター（記録装置）、１０  給送部、２０  紙揃え部、３０  プレヒート部、
３１  サクションベルト機構、３２  予備加熱時用紙支持部、３３  予備加熱手段、
３４  ローラ、３４ａ  ローラ、３５  ベルト、４０  記録部、４１  キャリッジ、
４２  記録ヘッド、４３  ノズル列、４４  記録時乾燥手段、４５  第１温風ヘッド、
４６  第２温風ヘッド、４７  吹出し口、５０  遮風手段、５１  第１遮風板、
５２  第２遮風板、５３  揺動軸、５４  プラテン、５５  記録時用紙支持部、
５６  記録時加熱手段、５７  ヒーター、５８  吸引ファン、６０  排出部、
７０  （他の実施形態１の）キャリッジ、７１  第１遮風板、７２  第２遮風板、
８０  （他の実施形態２の）キャリッジ、８１  第１遮風板、８２  第２遮風板、
１００  従来技術のキャリッジ、１０１  記録ヘッド、１０２  送風口、
１０３  プラテン、１０４  用紙、Ｐ  用紙、Ｘ  幅方向、Ｙ  送り方向、
Ｚ  記録ヘッドとプラテンとが対向する方向
【図１】
2010149318.tif 000003
【図２】
2010149318.tif 000004
【図３】
2010149318.tif 000005
【図４】
2010149318.tif 000006
【図５】
2010149318.tif 000007
【図６】
2010149318.tif 000008
【図７】
2010149318.tif 000009
【図８】
2010149318.tif 000010
【図９】
2010149318.tif 000011